(57)【要約】【課題】調度品を支持するアジャスタが露出されないようにして調度品及びその周辺の室内装飾の美観が低下されるのを防ぎ、しかも固定面との間に隙間を生じさせない被覆性及び装飾性に富むカバー部材を提供する。【解決手段】天井Ｕまたは床面Ｆなどの固定面Ｋに近接して立てられた方立１０の端部１１と、固定面Ｋとの間を覆い隠すカバー部材１であって、カバー部材１は、方立１０の少なくとも両側面１２に沿って配設され、前記方立１０の端部１１を覆うと共に固定面Ｋに当接する被覆片２０と、被覆片２０間に設けられた水平片３０とで構成され、水平片３０には、方立１０の端面１３に立設され、固定面Ｋに押圧対向するアジャスタ４０が挿通される挿通孔３１が形成され、挿通孔３１の口径は、方立１０の端面１３と水平片３０との間に配設され、水平片３０を固定面Ｋ側に押圧付勢するコイルバネ５０の直径より小さく形成されていることを特徴とする。【選択図】図１
2014171682.tif 000002
【特許請求の範囲】
【請求項１】
天井または床面などの固定面に近接して立てられた方立の端部と、固定面との間を覆い隠すカバー部材であって、
カバー部材は、前記方立の少なくとも両側面に沿って配設され、前記方立の端部を覆うと共に前記固定面に当接する被覆片と、被覆片間に設けられた水平片とで構成され、
水平片には、方立の端面に立設され、固定面に押圧対向するアジャスタが挿通される挿通孔が形成され、
挿通孔の口径は、方立の端面と水平片との間に配設され、水平片を固定面側に押圧付勢するコイルバネの直径より小さく形成されていることを特徴とする。
【請求項２】
被覆片が上下２分割されており、
上被覆片の間に前記水平片が設けられており、
下被覆片の上端部分は、上被覆片の下端部分にスライド自在に重ね合わされていることを特徴とする請求項１に記載のカバー部材。
【請求項３】
前記アジャスタを、前記方立の端面に立設される送りネジと、その送りネジを回転させる操作部と、送りネジの頂部に有する突張部とで構成し、
前記操作部を操作許容させる開放空間を、前記被覆片を前記固定面より退避させることに基づいて現出させることを特徴とする請求項１または２に記載のカバー部材。
【請求項４】
前記被覆片には、該被覆片同士を長手方向に突き合わせて連結する連結部を備えて構成したことを特徴とする請求項１乃至３のいずれかに記載のカバー部材。
【請求項５】
前記方立の端部に前記下被覆片を被嵌し、該下被覆片の上部に前記上被覆片を上下方向にスライド自在に上被覆片の凹溝と下被覆片の凸部を凹凸対応させて搭載し、その凹凸対応部分の四周側面をつなげて構成したことを特徴とする請求項２乃至４のいずれかに記載のカバー部材。
【発明の詳細な説明】
【技術分野】
【０００１】
本発明は、収納家具、棚等の家具類を支持する支持具が露出されることによって周辺の美観が損なわれるのを解消するカバー部材に関する。
【背景技術】
【０００２】
一般に、リビングルーム、応接室、書斎等に設置される家具類(調度品)は、地震等の外力を受けた際にぐらついて転倒しないように安定した設置状態が求められている。その一例として、天井面と調度品上面との上下間を突っ張り支持することにより調度品を安定して支持するようにした固定用の支持具(アジャスタ)が提案されている(例えば特許文献１参照)。
【０００３】
ところが、調度品を支持した際は、調度品に対して不調和なアジャスタが露出されてしまうので露出されたアジャスタのために美観が損なわれ、室内装飾を妨げるなどの違和感を生じさせてしまう。さらに、調度品の高さが低位の場合は、長尺のアジャスタを要してアジャスタが高さ方向に長く露出されることになり、不安定なだけでなく調度品及びその周辺の美観が損なわれ、室内装飾を低下させることになる。また、背高の調度品にアジャスタを適用したとしてもアジャスタの全てを隠すことはできず、天井近くで違和感を生じさせてしまう(例えば特許文献２、図１１参照)。
【先行技術文献】
【特許文献】
【０００４】
【特許文献１】特開平９−３１０４３４号公報
【特許文献２】実用新案登録第３１２１４２５号公報
【発明の概要】
【発明が解決しようとする課題】
【０００５】
さらに、アジャスタを覆い隠すことを目的として、アジャスタの周囲を遮るように木材パネルをカットしたフィラー材で覆い隠すことも考えられるが、この場合はフィラー材の取付位置を調整する機能がなく、フィラー材の取付後に地震の発生あるいは経年変化によって調度品あるいは天井面が傾いてフィラー材との間に隙間が生じてもその隙間を解消できないという問題を有していた。
【０００６】
そこで、本発明の主たる課題は調度品を支持するアジャスタが露出されないようにして調度品及びその周辺の室内装飾の美観が低下されるのを防ぎ、しかも固定面との間に隙間を生じさせない被覆性及び装飾性に富むカバー部材を提供することを目的とする。
【課題を解決するための手段】
【０００７】
請求項１に記載した発明は、「天井Ｕまたは床面Ｆなどの固定面Ｋに近接して立てられた方立１０の端部１１と、固定面Ｋとの間を覆い隠すカバー部材１であって、
カバー部材１は、
方立１０の少なくとも両側面１２に沿って配設され、前記方立１０の端部１１を覆うと共に固定面Ｋに当接する被覆片２０(２０ａ，２０ｂ)と、被覆片２０(２０ａ，２０ｂ)間に設けられた水平片３０とで構成され、
水平片３０には、方立１０の端面１３に立設され、固定面Ｋに押圧対向するアジャスタ４０が挿通される挿通孔３１が形成され、
挿通孔３１の口径は、方立１０の端面１３と水平片３０との間に配設され、水平片３０を固定面Ｋ側に押圧付勢するコイルバネ５０の直径より小さく形成されている」ことを特徴とする。
【０００８】
前記アジャスタ４０は、方立１０の端部１１と固定面Ｋとの間を突張調整可能に支持する支持具であり、天井Ｕに適用した場合は天井突張具として用いられ、床面Ｆに適用した場合は床面突張具として用いられる。また、固定面Ｋは突張支持される対象面であり、天井面、床面などの上下方向の突張支持面以外に水平方向に突張支持される壁面に対しても適用できる。
【０００９】
請求項２に記載した発明は、請求項１に記載のカバー部材１において、「被覆片６０，７０が上下２分割されており、
上被覆片６０の間に前記水平片３０が設けられており、
下被覆片７０の上端部分は、上被覆片６０の下端部分にスライド自在に重ね合わされている」ことを特徴とする。
【００１０】
請求項３に記載した発明は、請求項１または２に記載のカバー部材１において、「アジャスタ４０を、方立１０の端面に立設される送りネジ４１と、その送りネジ４１を回転させる操作部４２と、送りネジ４１の頂部に有する突張部４３とで構成し、
前記操作部４２を操作許容させる開放空間Ｓを、前記被覆片２０を前記固定面Ｋより退避させることに基づいて現出させる」ことを特徴とする。
【００１１】
請求項４に記載した発明は、請求項１乃至３のいずれかに記載のカバー部材１において、
「被覆片２０(２０ａ，２０ｂ)には、該被覆片２０(２０ａ，２０ｂ)同士を長手方向に突き合わせて連結する連結部２５を備えて構成した」ことを特徴とする。
【００１２】
前記連結部は、被覆片２０(２０ａ，２０ｂ)同士を長手方向に突き合わせる際、一方の突き合せ端部に係合凹部を形成し、他方の突き合せ端部に係合凸部を形成して凹凸対応させるとよい。この際、突き合わせ力によって少なくとも一方が弾性変位して係合することで連結するように構成するとよい。
【００１３】
請求項５に記載した発明は、請求項２乃至４のいずれかに記載のカバー部材１において、
「前記方立１０の端部１１に前記下被覆片７０を被嵌し、該下被覆片７０の上部に前記上被覆片６０を上下方向に上被覆片６０の凹溝８１と下被覆片７０の凸部９１をスライド自在に凹凸対応させて搭載し、その凹凸対応部分の四周側面をつなげて構成した」ことを特徴とする。
【発明の効果】
【００１４】
請求項１に記載の発明によれば、固定面Ｋと方立１０との間をアジャスタ４０で支持するが、そのアジャスタ４０を被覆片２０(２０ａ，２０ｂ)で覆い隠すことができるのでアジャスタ４０は露出されなくなり、調度品及びその周辺の美観の低下を防いで装飾性を保つことができる。
【００１５】
さらに、方立１０の端部１１と水平片３０との間に介在されたコイルバネ５０は弾性復帰力を有して、被覆片２０(２０ａ，２０ｂ)を固定面Ｋ側に押圧付勢するので被覆片２０(２０ａ，２０ｂ)は常に固定面Ｋ側に付勢されて隙間のない被覆状態を維持する。また、方立１０や固定面Ｋが地震の発生や経年変化等によって傾いた状態となっても、付勢された被覆片２０(２０ａ，２０ｂ)が方立１０の傾きや固定面Ｋの傾きに追従して当接するので固定面Ｋと被覆片２０(２０ａ，２０ｂ)との間に隙間を生じさせない。つまり、隙間からアジャスタ４０を露出させることがなくなる。さらに、被覆片２０(２０ａ，２０ｂ)を質感に優れた被覆材料あるいは室内装飾に適した色彩の被覆色にすれば、インテリア性に富む装飾部材として好ましいものになる。
【００１６】
請求項２に記載の発明によれば、上被覆片６０と下被覆片７０に分割し、このうち上被覆片６０でアジャスタ４０を覆い、下被覆片７０で方立１０の端部１１を覆った状態で上被覆片６０と下被覆片７０をスライド自在に重ね合わせ、しかも上被覆片６０を固定面Ｋに押圧付勢して当接させるので方立１０や固定面Ｋの傾きに上被覆片６０が追従して当接し、傾きを吸収するように当接させることができる。この時、上被覆片６０は方立１０や固定面Ｋの傾きに追従して長方形状の一側がスライドして上がるが、そのスライド対応した内側には下被覆片７０が現れて外部と遮断するためアジャスタ４０が現れることはない。さらに、上下方向にスライド自在の上被覆片６０は下被覆片７０とのみ接触し、方立１０とは接触しないので摩擦抵抗が少なく滑らかなスライド作用が得られる。
【００１７】
請求項３に記載の発明によれば、コイルバネ５０の付勢力に抗してカバー部材１を固定面Ｋ側より退避するように引き下げてスライドさせれば、それまで覆っていた被覆部分が開放され、この開放空間Ｓより内方の操作部４２を回動操作してアジャスタ４０の高さを調整することができる。その高さ調整が完了した後にカバー部材１の引き下げ力を解除すれば、カバー部材１はコイルバネ５０の付勢力を受けて元の遮蔽位置に戻る。また、上被覆片６０と下被覆片７０とで構成した場合にも、上被覆片６０を引き下げて開放空間Ｓを形成すればアジャスタ４０の高さ調整ができる。
【００１８】
請求項４に記載の発明によれば、長い１本のカバー部材１のみで構成する以外に、その長手方向を複数に分割して形成した複数本のカバー２，３を連結しても構成することができる。特に、カバー２，３の長さを変えたものを数種類用意しておけば、これらを組み合わせて方立１０の断面長方形の長さに応じた所望寸法のカバー部材１を構成することができる。
【００１９】
請求項５に記載の発明によれば、上被覆片６０の凹溝８１と下被覆片７０の凸部９１とが上下方向にスライド自由に対応する凹凸対応部分を有しており、これらの上被覆片６０と下被覆片７０との凹凸対応部分の全周囲が覆われているので前方や側方から見てもアジャスタ４０は見えず、さらに上被覆片６０が下被覆片７０より離れる方向にスライドしても凹凸対応部分が現れるのみであり、外部からは内方のアジャスタ４０は常に覆い隠された状態となり、アジャスタ４０は露出されない被覆構造となる。よって、アジャスタ４０が終始露出されないことから美観の低下を防ぎ、装飾性を維持することができる。また、凹凸対応部分は前後左右の四周側面がスライドガイドされるため、前後左右の側面で滑らかなスライド動作を確保することができる。
【図面の簡単な説明】
【００２０】
【図１】本発明の実施例１のカバー部材を示す斜視図である。
【図２】(Ａ)は本発明の実施例１のカバー部材を示す平面図、(Ｂ)は同カバー部材を示す左側面図、(Ｃ)は同カバー部材を示す右側面図、(Ｄ)は同カバー部材を示す底面図である。
【図３】(Ａ)は本発明の実施例１のカバー部材を示す縦断正面図、(Ｂ)は同カバー部材を示す縦断側面図である。
【図４】(Ａ)は本発明の実施例１におけるカバー部材の連結前の対応状態を示す平面図、(Ｂ)は同カバー部材の連結後の状態とその要部を拡大して示す平面図である。
【図５】(Ａ)は本発明の実施例１におけるカバー部材の使用状態を示す要部縦断面図、(Ｂ)は同カバー部材を引き下げた状態を示す要部縦断面図である。
【図６】本発明の実施例１のカバー部材を傾斜した天井に使用した状態を示す正面図である。
【図７】本発明の実施例２における連結部のない単体のカバー部材を傾斜した天井に使用した状態を示す正面図である。
【図８】(Ａ)は本発明の実施例３の下被覆片を示す縦断正面図、(Ｂ)は同下被覆片を示す縦断側面図である。
【図９】(Ａ)は本発明の実施例３の上被覆片と下被覆片の使用状態を示す要部拡大縦断面図、(Ｂ)は同上被覆片と下被覆片の使用状態を示す正面図である。
【図１０】(Ａ)は本発明の実施例４のカバー部材を示す分解斜視図、(Ｂ)は同カバー部材を組み立てた状態を示す斜視図である。
【図１１】(Ａ)は本発明の実施例４の上被覆片を示す平面図、(Ｂ)は同上被覆片を示す縦断正面図、(Ｃ)は同上被覆片を示す縦断側面図、(Ｄ)は同上被覆片を示す側面図、(Ｅ)は同上被覆片を示す底面図である。
【図１２】(Ａ)は本発明の実施例４の下被覆片を示す平面図、(Ｂ)は下被覆片を示す縦断正面図、(Ｃ)は同下被覆片を示す側面図、(Ｄ)は同下被覆片を示す縦断側面図、(Ｅ)は同下被覆片を示す底面図である。
【図１３】(Ａ)は本発明の実施例４におけるカバー部材の使用状態を示す縦断正面図、(Ｂ)は同カバー部材の使用状態を示す正面図である。
【図１４】(Ａ)は本発明の実施例５のカバー部材を下向きに使用した状態を示す要部拡大縦断面図、(Ｂ)は同カバー部材を床面に使用した状態を示す正面図である。
【発明を実施するための形態】
【００２１】
以下、本発明を図示実施例に従って説明する。  
[実施例１]
図１乃至図６は本発明のカバー部材１を示し、このカバー部材１は左カバー２と右カバー３(図４参照)との２個一組で構成され、ここにアジャスタ４０と、コイルバネ５０とが組み込まれて構成される。左カバー２と右カバー３とは同じ形を有し、左右に向きを変えて連結される左右対称の連結構造を有しているため、左カバー２のみを例にとって説明し、右カバー３の同じ説明は省略する。
【００２２】
左カバー２は合成樹脂材で形成し、図１乃至図３に示すように長方形状を有する平面視コ形状の被覆片２０と、その内方空間を上下に仕切る水平片３０と、連結用に開放されたコ形開放端の連結部２５とで構成される。
【００２３】
被覆片２０は、平面視コ形状の両側に平行する長辺側の両側壁２０ａ，２０ｂと、短辺側の一端部を閉じた短い側壁２０ｃと、短辺側の他端部で開放されたコ形開放端である短い開口部２０ｄとで構成される。両側壁２０ａ，２０ｂの対向間隔は天井Ｕなどの固定面Ｋに近接して立てられた方立１０(図５)の厚みより大きい対向間隔に設けられており、左右の両カバー２，３が連結された後の短い側壁２０ｃの対向間隔は方立１０の幅長さより長い対向間隔に設けられている。即ち、方立１０の端部１１に左カバー２を上方より被せることができる大きさの対向間隔を有するものであり、且つ方立１０の側面にガイドされて左カバー２を上下方向にスライドさせるのに適した余裕を持った対向間隔となるように設けている。さらに、長い両側壁２０ａ，２０ｂ及び短い側壁２０ｃの側壁高さは後述する被覆対象のアジャスタ４０を覆い隠す被覆高さに設けられている。また、開口部２０ｄは左右対称に連結される右カバー３との連結部２５として設けられている。なお、方立１０には、後述するアジャスタ４０が搭載され、調度品の上面あるいは床面Ｆから立設される。
【００２４】
水平片３０は、被覆片２０の平面視コ形状で囲まれる内部空間を上下に水平に仕切るプレートであり、内部空間の高さ方向を上下に略２分する高さ位置に形成されている。さらに、水平片３０の長手方向両側には後述するアジャスタ４０の送りネジ４１を上下方向に挿通させる挿通孔３１が貫通されている。挿通孔３１はアジャスタ４０の取付位置を考慮して長手方向に複数(図では２個)開口して設けている。挿通孔３１の口径は、方立１０（図５）の端面(上木口)１３と水平片３０との間に配設され、水平片３０を固定面(例えば天井Ｕ)Ｋ側に押圧付勢するコイルバネ５０の直径より小さく形成されている。
【００２５】
連結部２５は、図２(Ａ)に示すように、短い開口部２０ｄにおいて両側に平行する一方の長い側壁２０ａの一端外面側に、一端側より凸部２１と凹部２２とを連設し、他方の長い側壁２０ｂの一端内面側に、一端側より凸部２３と凹部２４とを連設して構成している。これらの凸部２１，２３と凹部２２，２４を連設して形成することにより凹部２２，２４の側壁２０ａ，２０ｂが薄肉部２６となり、薄肉部２６を支点に凸部２１，２３側が短辺方向に対し十分に弾性変位許容させる弾性支持機能が得られるようにしている。さらに、水平片３０の開口部２０ｄ側の開口端縁３２は左右のカバー２，３連結時に隙間なく当接し、且つ凹凸係合代を見込んで連結方向に対し一段下げて形成している。また、他方の長い側壁２０ｂの内面側に形成される凹部２４に対してはその入口側で開口端縁３２が対向するため、その開口端縁３２の部分に係合導入用のぬすみ部３３を切り欠いて設けている。
【００２６】
このように構成された左カバー２と右カバー３を連結する場合は、まず図４(Ａ)に示すように、左カバー２と右カバー３の互いの開口部２０ｄ，２０ｄ同士を左右より突き合わせるように対向させる。この時、双方を例えば卓上等に置いて水平に突き合わせて行くと、同高さ位置で当接した凸部２１，２３が弾性変位しながら連結方向へと移動する過程で対向する凹部２２，２４へと嵌まり込んで凹凸係合する。この時、各凸部２１，２３が薄肉部２６を支点に弾性変位するので突き合わせるだけで左右のカバー２，３は連結される。連結後は予め定められた必要な長さのカバー部材１が得られる。さらに、図４(Ａ)において左カバー２は水平方向に１８０度反転させて向きを変えれば右カバー３となり、全く同じものであるので一種類のカバー２，３を用意すればよい。さらに、長さの異なるカバーを用いれば、方立１０の幅長さに応じた所望長さのカバー部材１を得ることができる。
【００２７】
このカバー部材１は、開口部２０ｄ側から見ると、図２(Ｃ)及び図３(Ｂ)にも示すように断面Ｈ型状を有しており、コ形状の内部空間を上下に仕切った水平片３０によって、Ｈ型状内部空間の上方には該水平片３０の上面３４とその周囲の各側壁２０ａ，２０ｂ，２０ｃとで囲まれる凹形状の上部空間３６が形成される。また、Ｈ型状内部空間の下方には水平片３０の下面３５とその周囲の各側壁２０ａ，２０ｂ，２０ｃとで囲まれる逆凹形状の下部空間３７が形成されている。これらの上下部空間３６，３７を有するカバー部材１に対しては、図５に示すように上部空間３６側に後述するアジャスタ４０の主要部を、下部空間３７側にコイルバネ５０を組み込んで構成するものである。
【００２８】
ここに用いられるアジャスタ４０は、方立１０の端面１３に形成されている鬼目ナット孔１４に螺合させて立設されるボルト状の送りネジ４１と、その送りネジ４１を上部空間３６側で回転操作させる操作部４２と、送りネジ４１の頂部に有する突張部４３と、突張部４３を覆う突張部カバー４４とが備えられている。送りネジ４１は突張方向(上下方向)に進退させて突張調整する十分な長さを有しており、送りネジ４１の上部に六角ナット等の回転操作用の操作部４２を一体に備えている。この操作部４２を一方に回転させれば送りネジ４１は螺合部分(鬼目ナット孔１４)でのネジ送り作用により上動し、他方に回転させれば鬼目ナット孔１４にねじ込まれて下動し、送りネジ４１を突張方向に上下動させる進退構造を有している。また、送りネジ４１の上端部と突張部４３との接合部分は球継手のように接合して固定面Ｋに当接させる突張部４３を首振り自在に支持するようにしている。
【００２９】
コイルバネ５０は、水平片３０に開口している挿通孔３１の口径よりも大径にして水平片３０の下面３５と、方立１０の端面１３との上下間に当該コイルバネ５０を圧縮させた状態に介在させている。コイルバネ５０の付勢力は圧縮された該コイルバネ５０の弾性復帰力により水平片３０を上向きに押圧付勢し、水平片３０と一体の被覆片２０を固定面Ｋに軽く押圧させる付勢力であればよい。
【００３０】
次に、カバー部材１を使用する場合は、図５(Ａ)に示すように、該カバー部材１の上部空間３６に対し、その上方からアジャスタ４０の送りネジ４１を水平片３０の挿通孔３１に挿通させ、下部空間３７には送りネジ４１を中心とするコイルバネ５０を配置し、このコイルバネ５０を通して挿通された送りネジ４１の下部が導かれた状態でカバー部材１を方立１０の端部１１に宛がう。この際、カバー部材１の被覆片２０となる各側壁２０ａ，２０ｂ，２０ｃが方立１０の端部１１を覆う形で該端部１１の側面１２に対向し、当該カバー部材１を上下方向にスライド自在に対応させると共に、送りネジ４１の下部を方立１０の端面１３に設けられている鬼目ナット孔１４にねじ込んで該アジャスタ４０を方立１０の端面１３に立設させる。
【００３１】
この時、送りネジ４１のねじ込み度合いによってコイルバネ５０の圧縮量は変化し、コイルバネ５０の弾性復帰力を適切な付勢力に調整してカバー部材１の取り付けが完了する。続いて、天井Ｕ等の固定面Ｋに対しアジャスタ４０が突張支持するように近接させる。この際、アジャスタ４０の両側をカバー部材１で覆った状態となる。然る後、図５(Ｂ)に示すようにカバー部材１をコイルバネ５０の付勢力に抗して引き下げると固定面Ｋと被覆片２０の上部との間に開放空間Ｓが現れ、その状態で外方より開放空間Ｓを介して作業者が操作部４２を回転操作し、送りネジ４１を上動させることにより頂部の突張部４３を固定面Ｋに当接させる。そして、適切な突張支持力を得ると、作業者はカバー部材１の引き下げ力を解除し、カバー部材１はコイルバネ５０の付勢力を受けて元の上動した位置に戻る。この時、図５(Ａ)に示すようにカバー部材１の被覆片２０が固定面Ｋに当接してアジャスタ４０の周囲を確実に被覆した状態となる。
【００３２】
また、図６に示すように、地震の発生あるいは経年変化などによって天井Ｕ(固定面Ｋ)が、ある方向に傾いたとしても、その傾斜角度θに沿ってコイルバネ５０で弾性支持されたカバー部材１も天井Ｕ(固定面Ｋ)に追従するので被覆隙間を生じることがない。なお、図６では傾斜角度θに応じて各アジャスタ４０の高さも適宜調整した場合を示している。
【００３３】
[実施例２]
実施例２ではカバー部材１を単体で構成した一例を示している。このカバー部材１は四周側面がつながった被覆片２０で構成されており、非連結のシンプルな単体構成であるので実施例１のような左右のカバーの組立作業を省略して取り扱いが容易になる。また、アジャスタ４０を被覆できるだけでなく、図７に示すように当該カバー部材１を地震発生あるいは経年変化により傾いた傾斜角度θを有する天井Ｕ(固定面Ｋ)に適用した場合もそのまま使用可能にして実施例１と同様の作用効果が得られる。即ち、傾斜角度θに沿ってコイルバネ５０で弾性支持されたカバー部材１が天井Ｕ(固定面Ｋ)に追従して傾斜対応するのでカバー部材１と天井Ｕ(固定面Ｋ)との間に被覆隙間を生じることがない。
【００３４】
[実施例３]
図８乃至図９は被覆片を上下に２分割して構成したカバー部材１の一例を示している。このカバー部材１を上被覆片６０と下被覆片７０とで構成し、このうち実施例１または実施例２で述べたカバー部材１と同構造を有するものを上被覆片６０とし、方立１０の端部１１に被嵌するものを下被覆片７０としている(図８)。上被覆片６０(実施例１または実施例２のカバー部材１)については既に述べたので以下、下被覆片７０についてのみ説明する。
【００３５】
下被覆片７０は、図８(Ａ)に示すように、下面を開放した箱形状を有し、上面７１に、上被覆片６０の挿通孔３１と対応して開口した挿通孔７２と、当該下被覆片７０を方立１０の端面１３にビス７３止め固定するためのビス孔７４とを貫通して設けている。また、下被覆片７０の長辺側の側壁７５と短辺側の側壁７６とが方立１０の四周側面１２に対応して方立１０の端部１１に被嵌する大きさを有している。そして、この下被覆片７０を方立１０の端部(上端部)１１に被嵌し、且つビス止め固定して方立１０と一体化するものである。この下被覆片７０を方立１０と一体化することにより、図９(Ａ)に示すように、方立１０の端部１１では下被覆片７０が被嵌した状態にあり、上被覆片６０との側面間ではスライド自在に重ね合わされるため方立１０の端部１１の表面が荒れていても、上被覆片６０は方立１０と接触せず、下被覆片７０とのみ接触することになり、合成樹脂材等の接触抵抗の少ない材質で構成すれば、滑らかなスライド動作を得ることができる。さらに、コイルバネ５０に対しても上被覆片６０の水平片３０の下面が上バネ座となり、下被覆片７０の上面が下バネ座となり、これらがコイルバネ５０の上下で平面対向するため安定したバネ座の役目が得られる。さらに、図９(Ｂ)に示すように、天井Ｕ(固定面Ｋ)に適用しても天井Ｕ付近では上被覆片６０がアジャスタ４０を覆い、下被覆片７０が方立１０の端部１１を覆うのでアジャスタ４０や方立１０の端部１１は露出されない。また、インテリア性に富む材料の被覆片を用いれば美観を高めることに加えて装飾性も一層高められる。なお、上被覆片６０と下被覆片７０との重ね合わされたスライド面間は方立１０や天井Ｕ(固定面Ｋ)の傾きに上被覆片６０が傾いて追従できるように十分な間隔を持たせるのがよい。
【００３６】
[実施例４]
図１０乃至図１３は合成樹脂材により成形された上被覆片８０と下被覆片９０とを上下に凹凸対向させて構成した凹凸対応型のカバー部材１を示す。ここに用いられる上被覆片８０は図１１にも示すように長方形でその下面四周に長方形状につながった凹溝８１を形成しており、該凹溝８１で囲まれる内方の底部に上水平片８２を備えて構成している。上水平片８２は実施例１の水平片３０と同様に送りネジ４１を挿通させる挿通孔８３を長手方向の両側に２個ずつ合計４個を貫通して設けており、挿通孔８３を複数設けるのはアジャスタ４０の取付位置を選択できるように配慮した構成としているためである。
【００３７】
下被覆片９０は、図１２に示すように、上被覆片８０と対応する大きさの長方形で、その上面に上被覆片８０の凹溝８１と対応する四周側面が枠状につながった凸部９１を突設しており、下面に方立１０の端部１１に被嵌する逆凹型状の被嵌部９２を有している。さらに、下被覆片９０の凸部９１で囲まれる内方の中間高さ位置に下水平片９３を備えて構成している。下水平片９３は上被覆片８０の上水平片８２と同じく挿通孔８３と対応する位置に挿通孔９４を２個ずつ合計４個を貫通して設けている。また、下水平片９３には当該下被覆片９０を方立１０の端面１３にビス止め固定するためのビス孔９５を貫通している。そして、下被覆片９０の被嵌部９２が方立１０の端部(上端部)１１を被嵌し、且つビス止め固定されて方立１０と一体化するものである。
【００３８】
このように構成されたカバー部材１を使用する際は、図１３(Ａ)に示すように、下被覆片９０の上面に上被覆片８０が搭載し、上被覆片８０と下被覆片９０とは凹溝８１と凸部９１とが上下方向に凹凸対応して上被覆片８０がスライド自在に搭載される。特に、上被覆片８０と下被覆片９０との凹凸対応部分はその前後面及び両側面の全周囲が覆われているので内方のアジャスタ４０は常に覆い隠された状態となり、アジャスタ４０は露出されなくなる。よって、アジャスタ４０が終始露出されないことから違和感を生じさせなくなり、調度品及びその周辺の美観の低下を防いで装飾性を保つことができる。また、凹凸対応部分は前後左右の四周側面がスライドガイドされるため、前後左右の四周側面で滑らかなスライド動作が得られる。また、図１３(Ｂ)に示すように、傾いた天井Ｕ(固定面Ｋ)などに適用しても天井Ｕ付近では上被覆片８０と下被覆片９０とが存在してアジャスタ４０の被覆作用に加えて上被覆片８０・下被覆片９０自体による装飾性が得られる。仮に、上被覆片８０の長手方向の一端側が天井Ｕ(固定面Ｋ)の傾斜角度θに追従して傾き、その傾きにより上下の被覆片８０，９０間が開いて内側が見えたとしてもその部分には下被覆片９０の凸部９１が見えるのみであり、外部からはアジャスタ４０を露出させることがない被覆構成となっている。この場合も上被覆片８０と下被覆片９０との重ね合わされたスライド面間は方立１０の傾きあるいは天井Ｕ(固定面Ｋ)の傾きに上被覆片８０が傾いて追従できるように十分な間隔を持たせるのがよい。
【００３９】
[実施例５]
図１４はカバー部材１(実施例３の上被覆片６０と下被覆片７０)を床面Ｆに適用した場合を示し、この場合はカバー部材１を下向きに突っ張らせて床面突張具として用いることができる。この場合も実施例３で述べたカバー部材１と同構造を有するものを上被覆片６０とし、方立１０の端部１１に被嵌するものを下被覆片７０としている。ここでは、実施例３の構成と同じであり、上下逆向きに表示されるため実施例３の図９(Ａ)と同符号を用いて表示している。このように、カバー部材１を床面突張具として用いても突張方向が上下逆向きなだけであり、床面Ｆに対しても同様に利用することができる。よって、上述の実施例と同様な被覆機能を有する作用効果が得られる。この他にも、水平方向に突っ張らせて壁面に対する被覆用の支持構造としてカバー部材を用いることもできる。
【００４０】
以上説明したように、固定面Ｋと方立１０との間をアジャスタ４０で支持するが、そのアジャスタ４０をカバー部材１の被覆片２０，６０，７０，８０，９０で覆い隠すことができるのでアジャスタ４０は露出されなくなり、調度品及びその周辺の美観の低下を防ぐことができる。
【００４１】
本発明の構成と、上述の実施例の構成との対応において、本発明の構成は請求項に記載される技術思想に基づいて応用することができ、実施例の構成のみに限定されるものではない。上述の実施例ではカバー部材１に軽量で耐久性及びスライド時の接触性の良い合成樹脂材を用いる例を示したが、これに限らず、装飾性、耐久性の良好な金属材等の材料であってもよい。
【符号の説明】
【００４２】
１…カバー部材                     ２…左カバー
３…右カバー                       １０…方立                  
１１…端部                         １２…側面    
１３…端面(上木口)                 １４…鬼目ナット孔
２０…被覆片                       ２０ａ，２０ｂ…長い側壁
２０ｃ…短い側壁                   ２０ｄ…短い開口部
２１，２３…凸部                   ２２，２４…凹部
２５… 連結部                      ２６…薄肉部
３０…水平片                       ３１，７２，８３，９４…挿通孔
３２…開口端縁                     ３３…ぬすみ部
３４…上面                         ３５…下面
３６… 上部空間                    ３７…下部空間
４０…アジャスタ                   ４１…送りネジ
４２…操作部                       ４３…突張部
４４…突張部カバー                 ５０…コイルバネ
６０，８０…上被覆片               ７０，９０…下被覆片                       
７１…上面                         ７３…ビス
７４…ビス孔                       ７５…長辺側の側壁
７６…短辺側の側壁                 ８１…凹溝    
８２…上水平片                     ９１…凸部
９２… 被覆部                      ９３…下水平片
９５…ビス孔                       Ｕ…天井      
Ｆ…床面                           Ｋ…固定面
Ｓ…開放空間                       θ…傾斜角度
【図１】
2014171682.tif 000003
【図２】
2014171682.tif 000004
【図３】
2014171682.tif 000005
【図４】
2014171682.tif 000006
【図５】
2014171682.tif 000007
【図６】
2014171682.tif 000008
【図７】
2014171682.tif 000009
【図８】
2014171682.tif 000010
【図９】
2014171682.tif 000011
【図１０】
2014171682.tif 000012
【図１１】
2014171682.tif 000013
【図１２】
2014171682.tif 000014
【図１３】
2014171682.tif 000015
【図１４】
2014171682.tif 000016